(57)【要約】【課題】携帯端末内に保管されたメールを時刻でソートして一覧表示できるようにした携帯端末を提供する。【解決手段】メール機能と、その送受信したメールを記憶できる記憶装置とを備えた携帯端末において、記憶装置に記憶したメールを検索すると共に、送受信時刻でソートし、そのソート結果のメールを一覧表示する機能を備えたので、使用者は一度に、複雑な操作なしに複数のメールの内容を確認することができる。しかも、この一覧表示する機能や一覧表示する対象のメールを携帯端末に備えているので、データ通信などが不可能な場所においても、そのメールの確認をすることができる。【選択図】      図５
2008225719.tif 000002
【特許請求の範囲】
【請求項１】
メールを送受信するメール機能と、その送受信したメールを記憶する記憶装置とを備えた携帯端末において、
選択表示した前記記憶装置に記憶したメールに基づく検索条件を設定する検索条件設定画面を表示する第１の表示手段と、
前記検索条件設定画面で設定された検索条件で、前記記憶装置に記憶したメールを検索する検索手段と、
前記検索手段が検索した検索メールの表示条件を設定する表示条件設定画面を表示する第２の表示手段と、
前記検索結果を送受信時刻でソートし、そのソート結果のメールを前記表示条件設定画面で設定された表示条件で一覧表示する第３の表示手段
を備えたことを特徴とする携帯端末。
【請求項２】
前記第１の表示手段が表示する前記検索条件設定画面には、前記選択表示したメールに含まれる送受信者名またはメールの題名を検索条件として含むことを特徴とする請求項１に記載の携帯端末。
【請求項３】
前記第１の表示手段が表示する前記検索条件設定画面には、送受信した時間帯をさらに検索条件として指定することができることを特徴とする請求項２に記載の携帯端末。
【請求項４】
前記検索手段が検索するメールは、前記記憶装置に記憶した送信メールおよび受信メールであることを特徴とする請求項１ないし３のいずれかの請求項に記載の携帯端末。
【請求項５】
前記第２の表示手段が表示する前記表示条件設定画面には、表示画面の一頁に一覧表示するメール数および送受信時刻でソートされたメールの表示順序を新しい順、又は古い順のいずれかの時系列表示を前記表示条件として含むことを特徴とする請求項１ないし３のいずれかの請求項に記載の携帯端末。
【請求項６】
前記第３の表示手段が一覧表示したメール毎に、そのメールの表示をさせないよう設定する設定手段を備えたことを特徴とする請求項５に記載の携帯端末。
【請求項７】
メールを送受信するメール機能と、その送受信したメールを記憶する記憶装置とを備えた携帯端末におけるメール表示方法において、
選択表示した前記記憶装置に記憶したメールに基づく検索条件を設定する検索条件設定画面を表示する第１の表示ステップと、
前記検索条件設定画面で設定された検索条件で、前記記憶装置に記憶したメールを検索する検索ステップと、
前記検索ステップで検索した検索メールの表示条件を設定する表示条件設定画面を表示する第２の表示ステップと、
前記検索結果を送受信時刻でソートし、そのソート結果のメールを前記表示条件設定画面で設定された表示条件で一覧表示する第３の表示ステップ
を備えたことを特徴とするメール表示方法。
【請求項８】
前記第１の表示ステップで表示する前記検索条件設定画面には、前記選択表示したメールに含まれる送受信者名またはメールの題名を検索条件として含むことを特徴とする請求項７に記載のメール表示方法。
【請求項９】
前記第１の表示ステップで表示する前記検索条件設定画面には、送受信した時間帯をさらに検索条件として指定することができることを特徴とする請求項８に記載のメール表示方法。
【請求項１０】
前記検索ステップで検索するメールは、前記記憶装置に記憶した送信メールおよび受信メールであることを特徴とする請求項７ないし９のいずれかの請求項に記載のメール表示方法。
【請求項１１】
前記第２の表示ステップで表示する前記表示条件設定画面には、表示画面の一頁に一覧表示するメール数および送受信時刻でソートされたメールの表示順序を新しい順、又は古い順のいずれかの時系列表示を前記表示条件として含むことを特徴とする請求項７ないし９のいずれかの請求項に記載のメール表示方法。
【請求項１２】
前記第３の表示ステップで一覧表示したメール毎に、そのメールの表示をさせないよう設定する設定ステップを備えたことを特徴とする請求項１１に記載のメール表示方法。
【発明の詳細な説明】
【技術分野】
【０００１】
この発明は、メールを送受信できる機能を備えた携帯電話や、ＰＨＳ（Personal Handy-phone System）や、個人用携帯情報端末（ＰＤＡ：Personal Digital Assistants）などの携帯端末に関し、特に、蓄積している送受信メールを時系列にソートして表示するユーザーインターフェースを備えた携帯端末及びメール表示方法に関する。
【背景技術】
【０００２】
携帯端末、例えば、携帯電話でメールの送受信ができるものは、例えば、特開２００６−２２７８９８号公報に記載されている。
【０００３】
このようなメール機能を備えた携帯電話では、同一の主題で使用者が複数の人とチャット感覚でメールの送受信をしていた場合に、途中で、今までのメールでの対話内容の再確認（読み直し）を時間軸（過去から最新のメールへ、あるいは、逆に最新のメールから徐々に過去に遡って）で行いたいと感じる事がある。
【０００４】
そのような場合、従来の携帯電話では、受信メールフォルダに蓄積されたメールを受信順に、「メールの一通を開く  →  内容確認  →  閉じる  →  次の一通を開く  ・・・」というキー操作を複数回に渡り実施して読み出す必要があった。もし、その時間軸に沿って確認したいメールの中に使用者が送った送信メールを含む場合には、送信フォルダを開く必要があり、「受信フォルダ  →  送信フォルダ」というようにフォルダの切り替え操作まで必要になっていた。
【０００５】
また、複数の電子メールを結合して一覧表示できる電子メールシステムも、特開２００１−２２６５５号公報に記載されているが、この公報に記載のものは、送受信したメールをサーバー内で加工、編集するもので、主に、パソコン（パーソナルコンピュータ）を対象にしているものであった。
【０００６】
【特許文献１】特開２００６−２２７８９８号公報
【特許文献２】特開２００１−２２６５５号公報
【発明の開示】
【発明が解決しようとする課題】
【０００７】
前述のような携帯電話では、時間軸に沿ってメールを確認する場合は、キー操作が増すため、操作性を煩わしく感じさせる恐れがあった。
【０００８】
また、キーワードを入力してメールの検索を出来る様な機能を備えた携帯電話ものもあるが、検索時に直接入キー力をする事でキー操作数が多くなり、送信メールと受信メールの両方を一度に検索対象にするものではなく、前記作業の煩わしさを解消するものではなかった。
【０００９】
また、前述の電子メールシステムであれば、複数の電子メールを一覧表示でき、不空のメールの確認が非常に容易になるものの、パソコンなどの端末からサーバーにアクセスする必要が生じる。この電子メールシステムを携帯端末に適用すれば、上記操作の煩わしさが解消されることが期待できるが、携帯端末は電波状態の悪い場所にも移動して使用されることもあり、その場所で使用される場合、メールの確認ができないことが予想される。
【００１０】
この発明は、サーバーに接続することなしに、端末内に蓄積している送受信メールを時系列にソートして一覧表示するユーザーインターフェースを備えた携帯端末及びメール表示方法を提供するものである。
【課題を解決するための手段】
【００１１】
本発明に係る携帯端末は、メールを送受信するメール機能と、その送受信したメールを記憶する記憶装置とを備えた携帯端末において、選択表示した前記記憶装置に記憶したメールに基づく検索条件を設定する検索条件設定画面を表示する第１の表示手段と、前記検索条件設定画面で設定された検索条件で、前記記憶装置に記憶したメールを検索する検索手段と、前記検索手段が検索した検索メールの表示条件を設定する表示条件設定画面を表示する第２の表示手段と、前記検索結果を送受信時刻でソートし、そのソート結果のメールを前記表示条件設定画面で設定された表示条件で一覧表示する第３の表示手段を備えて構成される。
【００１２】
前記第１の表示手段が表示する前記検索条件設定画面には、前記選択表示したメールに含まれる送受信者名またはメールの題名を検索条件として含む。
【００１３】
また、前記第１の表示手段が表示する前記検索条件設定画面には、送受信した時間帯をさらに検索条件として指定することができる。
【００１４】
前記検索手段が検索するメールは、前記記憶装置に記憶した送信メールおよび受信メールを対象とする。
【００１５】
前記第２の表示手段が表示する前記表示条件設定画面には、表示画面の一頁に一覧表示するメール数および送受信時刻でソートされたメールの表示順序を新しい順、又は古い順のいずれかの時系列表示を前記表示条件として含む。
【００１６】
前記第３の表示手段が一覧表示したメール毎に、そのメールの表示をさせないよう設定する設定手段をさらに備えて構成しても良い。
【００１７】
本発明に係るメール表示方法は、メールを送受信するメール機能と、その送受信したメールを記憶する記憶装置とを備えた携帯端末におけるメール表示方法において、選択表示した前記記憶装置に記憶したメールに基づく検索条件を設定する検索条件設定画面を表示する第１の表示ステップと、前記検索条件設定画面で設定された検索条件で、前記記憶装置に記憶したメールを検索する検索ステップと、前記検索ステップで検索した検索メールの表示条件を設定する表示条件設定画面を表示する第２の表示ステップと、前記検索結果を送受信時刻でソートし、そのソート結果のメールを前記表示条件設定画面で設定された表示条件で一覧表示する第３の表示ステップを備えて構成される。
【００１８】
前記第１の表示ステップで表示する前記検索条件設定画面には、前記選択表示したメールに含まれる送受信者名またはメールの題名を検索条件として含む。
【００１９】
また、前記第１の表示ステップで表示する前記検索条件設定画面には、送受信した時間帯をさらに検索条件として指定することができる。
【００２０】
前記検索ステップで検索するメールは、前記記憶装置に記憶した送信メールおよび受信メールを対象とする。
【００２１】
前記第２の表示ステップで表示する前記表示条件設定画面には、表示画面の一頁に一覧表示するメール数および送受信時刻でソートされたメールの表示順序を新しい順、又は古い順のいずれかの時系列表示を前記表示条件として含む。
【００２２】
前記第３の表示ステップで一覧表示したメール毎に、そのメールの表示をさせないよう設定する設定ステップを備えて構成しても良い。
【発明の効果】
【００２３】
このような本発明によれば、次に記載するような効果を奏する。
【００２４】
本発明の携帯端末によれば、携帯端末内に記憶されているメールを、送受信した時刻でソートしてそのメールを一覧表示するユーザーインターフェースを備えるので、使用者は、少ないキー操作でそのメールの内容を、時間的な流れに沿って確認することができ、メールの確認時における操作性の改善を図ることができる。
【００２５】
しかも、この一覧表示する機能や一覧表示する対象のメールを携帯端末に備えているので、データ通信などが不可能な場所においても、そのメールの確認をすることができる利点がある。
【発明を実施するための最良の形態】
【００２６】
本発明の実施の形態について、図１〜図３に基づき説明する。
【００２７】
まず、外観構成について説明する。図１は携帯電話の外観図である。
【００２８】
図1に示す１０１は携帯電話で、音声通信の機能や、メールの送受信機能などのデータ通信機能を備えている。１０２はキー操作部で、数字入力用のキーや十字キーやその他の機能を制御するためのキーなどが配置されており、使用者が電話帳登録やメール作成、各種設定などを行うことができるものである。１０３は液晶パネルを用いた表示部（表示手段）で、通話目的で入力された電話番号や送受信したメールやインターネット接続時に各種コンテンツなどを表示できるものである。１０４はスピーカで、キー操作部１０２の右上に配置されており、着信やメール受信を報知するためのものである。１０５はマイクで、キー操作部１０２の下方の中央に配置されており、音声通信時に使用される。１０６はレシーバで、表示部の上方の中央に配置されており、音声通信時に使用される。
【００２９】
尚、携帯端末として、この実施の形態の携帯電話１０１だけではなく、ＰＤＡやＰＨＳなどを利用しても構わない。
【００３０】
次に、機能構成について説明する。図２は本発明の携帯電話の機能構成を示すブロック図である。
【００３１】
図２に示す２０１はメモリで、携帯電話１０１の各種の設定や送信したメールや受信したメールを記憶している。２０２は各種設定格納部で、メモリ内に設けられており、表示や報知音の大きさなど各種の設定が記憶されている。２０３は受信メール格納部で、メモリ内に設けられており、受信したメールの受信時間（時刻）、受信先、受信題名、受信本文を格納している。２０４は送信メール格納部で、メモリ内に設けられており、送信したメールの送信時間（時刻）、送信先、送信題名、送信本文を格納している。尚、送信メール及び受信メールは、電子メールであってもよいし、また、ショートメッセージと呼ばれているメールでも構わない。
【００３２】
２０５は制御部で、プログラムに従って各種の制御を行うもので、検索手段の機能も備えている。２０６は無線部で、図示しないがアンテナと、無線電波を送受信するための送受信部とで構成されており、音声通信やデータ通信に使用される。２０７は時計部で、メールの送受信時刻や、現在時刻を得るためのものである。
【００３３】
尚、本発明に係る携帯電話１０１の動作制御は、メモリ２０１に記憶された図示しない制御プログラムを制御部２０５が読み出し、このプログラムに従って演算処理や制御を行うことにより実現される。特に、本発明は操作性に優れたユーザーインターフェースを提供するものなので、表示部１０３への操作画面表示と、この表示部１０３に表示された表示に従って使用者がキー操作部１０２を操作して入力した情報とに基づく動作の実行ができるよう構成している。
【００３４】
このように構成された携帯電話１０１の動作について図３を参照して説明する。図３は、本発明に係る携帯電話１０１の動作を説明するフローチャートである。
【００３５】
まず、使用者は、キー操作部１０２を操作して、メモリ２０１に格納されているメールデータから目的のメールを選択し、画面表示に従った操作を実行すると、制御部２０５の制御により表示部１０３には該当のメールの内容が表示される（Ｓ３０１）。このとき使用者が選択するメールは、送信メールでも受信メールでも良い。その選択したメールが受信メールであれば、その内容は、受信時刻、受信先、受信題名、受信本文で、これらが表示される。その他としてメールに付加される経由したサーバー情報などは、記憶されているが、表示されない。
【００３６】
続いて使用者は、その選択したメールに対する処理機能を選択する。従来の携帯電話であれば、「返信」、「引用返信」、「参照返信」、「転送」、「保護／保護解除」、「コピー」等の処理機能を有しているが、本発明の携帯電話は、それらに加えて「送受信メール一括表示」の機能を備えている。
【００３７】
ここでは、「送受信メール一括表示」を選択するので、処理はＳ３０２、Ｓ３０３を介してＳ３０４の「検索設定画面を表示する」に移行する。
【００３８】
この「検索設定画面」は、選択したメール（対象メール）の時刻情報、送受信先、題名、本文のいずれかで検索を実行すべきかを、使用者が指定することができる画面である。
【００３９】
例えば、「送受信者」を指定した場合には、対象メールに含まれる「ＴＯ」および「ＦＭ」に設定されている送受信者名を検索キーとして設定する。その他の設定条件としては、「題名」、「本文キーワード」、「送受信時間帯」等がある。「題名」が指定された場合は、対象メールの題名の文字列が検索キーとなり、「本文キーワード」が指定された場合は、同時に入力されるキーワードが検索キーとして使用される。「送受信時間帯」の指定の場合は、その時間帯に送受信されたメールが検索される。これらの検索設定は複数の設定をＡＮＤ又はＯＲの条件で設定可能なものとする。
【００４０】
Ｓ３０４において使用者が設定した検索条件をＳ３０５で確認し、それぞれの設定条件に応じた検索条件、検索対象が設定される（Ｓ３０６）。
【００４１】
制御部２０５は、上記の検索条件、検索対象に基づいて、メモリ１０に格納されている他の送信メール、受信メールに対して検索処理を実行する（Ｓ３０７）。
【００４２】
検索処理が完了すると、制御部２０５は、検索結果を表示する表示方法を使用者に設定させるための表示設定画面を表示部１０３に表示する（Ｓ３０８）。ここで使用者が設定可能な表示指定には、「表示件数」および「表示順番」がある。「表示件数」は、一括して画面表示させたいメールの件数であり、「表示順番」は、送受信時間の古い時間順又は新しい時間順でソートして表示させることを意味する。
【００４３】
制御部２０５は、前記で検索ヒットした送信メール・受信メールを使用者が指定した設定どおりに並べ替えを行い（Ｓ３０９、Ｓ３１０）、一斉に掲示板の様に上から表示部１０３にメール内容を一覧表示させる（Ｓ３１１）。
【００４４】
ここで記載している一覧表示とは、複数のメールを結合したような状態で表示することであって、上下のスクロールにより、ひとつの頁を見るように複数のメールを確認でき、また、煩雑なキー操作をすることなく、複数のメールを確認できるものである。この一覧表示は、例えば、インターネットの掲示板のように、書き込み順に、ひとつの画面に連続して表示されるものに似ている。尚、ひとつの画面に表示できるメール数は、後述する図４の画面４０５に示すように、使用者の要望により、設定できるようになっている。
【００４５】
次に本発明に係る携帯電話の第１の実施例について、図４と図５とに基づき説明する。図４はメールの一括表示設定を示すフローチャートで、図５は本発明の携帯電話における画面表示の遷移を示す説明図である。
【００４６】
図４のＳ４０１に示すように、使用者が、送信メール、又は受信メールを開く。図５の画面５０１、５０２はこの状態を示している。画面５０１はその一番最初の（一番古い）メールを開いた状態を示し、５０２は一番最後の（一番新しい）メールを開いた状態を示している。
【００４７】
そのメールに関する機能処理を実行するために、画面５０１の右下の「機能」ボタン５０８（動作ボタンに相当）を選択する。
【００４８】
「機能」ボタン５０８が選択されると、図５の画面５０３に示す「機能メニュー設定画面」が表示される（画面の上部に示す表題は「機能メニュー」としている）。使用者が「６．送受信メール一括表示」を選択すると（図４のＳ４０２参照）、図５の画面５０４に示す「検索設定画面」が表示される（画面の上部に示す表題は「関連送受信メール一括表示設定」としている）。
【００４９】
図５の画面５０１、又は、画面５０２で表示させたメールの送受信者のみを検索したい場合、一番上の「送受信者のみ」を選択することで、この画面５０４で検索できるものの、今回は、使用者が上から二番目の「送受信者（すべて）」を選択したものとする（図４のＳ４０３参照）と、図５の画面５０５に示す「表示設定画面」が表示される（画面の上部に示す表題は「関連送受信メール一括表示設定」としている）。この場合、画面５０１や画面５０２に示されている送受信者以外との送受信メールも検索対象になる。
【００５０】
また、この画面５０４では、題名検索や本文語句検索としてキーワードを入力できるように入力部５０９が用意されており、この入力部５０９にキーワードを入力することによりキーワードを含む送信メール及び受信メールを同時に検索できるものである。
【００５１】
画面５０４で「設定」ボタン５１０が選択されると、検索が実行され、その結果を表示指定するための画面５０５が表示される。この画面５０５には、全部で２０件の送受信メールがヒットしたことが示されている。また、一頁に連続して一覧表示する送受信メール件数５が、初期設定として入力されている。この５は初期設定の値であり、この数字を１０や１５など、キー入力により設定可能とするよう、入力部５１１が用意されている。更に、画面５０５の下部には、表示順番（新しい順か、古い順）を選択指定できるようになっており、この画面５０５は「更新新しい順」を選択した例である（図４のＳ４０４参照）。
【００５２】
そして、この画面５０５で、使用者が「表示」ボタン５１２を選択すると、図５の画面５０５で「更新新しい順」が選択されている場合は、画面５０６が表示され、「更新古い順」が選択されている場合は、画面５０７が表示される（図４のＳ４０５参照）。画面５０６も画面５０７も、何れも十字キーの上キーや下キーで上下のスクロールが可能であり（図４のＳ４０６参照）、また、左キーや右キーで頁送りや元の頁に戻ることも可能である。
【００５３】
画面５０６も画面５０７も、最大５件のメールが一頁に一覧表示されるようになっているため、キー操作だけで簡単にスクロールして５件のメールの内容を確認できるものである。
【００５４】
一覧表示の際に、見る必要のないメールや、確認したい内容と関係ないメールが表示されることもある。この場合は、表示させたくないメールを表示削除とする機能を備えている。この表示削除は、表示させないようにするとの意味で、メール自体は削除されておらず、記憶されたままである。
【００５５】
図５の画面５０６や画面５０７の各メールの最後に「表示削除」ボタン５１３があり、これを選択すると、この頁から次の頁や前の頁に移った後、再びこの頁に戻ったときにそれらのメールが表示されないようになっている（図４のＳ４０７、Ｓ４０８参照）。
【００５６】
このように、表示させたくないメールを表示させないように設定すると、使用者にとってメールの確認がより容易になる。そして、一頁に表示されているメールを上下にスクロールしてその内容を確認することができる（図４のＳ４０９参照）。また必要に応じて、頁送りしたり、頁を戻したりして、メールの内容を、少ないキー操作で確認することができる。
【００５７】
このような本発明の第一実施例の携帯電話１０１によれば、次のような効果が期待できる。
【００５８】
携帯電話１０１において、メモリ２０１に記憶した送信及び受信メールを検索すると共に、送受信時間（時刻）でソートし、そのソート結果のメールを一覧表示する機能を備えたので、使用者は一度で、煩雑なキー操作なしに複数のメールの内容を確認することができる。
【００５９】
しかも、この一覧表示する機能や一覧表示する対象のメールを携帯電話１０１に備えているので、データ通信などが不可能な場所においても、そのメールの確認をすることができる利点がある。
また、メモリ２０１に記憶された送信メールと受信メールとを同時に検索対象としているので、受信用メールボックスを検索した後、送信用メールボックスを検索するというように、メールボックスを個別に検索を行うというような二度手間のかかる検索を避け、検索を簡素化、容易にすることができる。
【００６０】
また、画面に一頁として表示するメール数を、使用者が設定できる設定手段や、送受信時刻でソートされたメールの表示を、新しい順、又は古い順に使用者が設定できる設定手段や、一覧表示してメール毎に、そのメールの表示をさせないよう設定する設定手段を備えているので、使用者の多彩な要望に対応でき、携帯電話１０１をより便利なものとすることができる。
【００６１】
例えば、なるべく多くのメールを一頁に表示してスクロールだけでメールを確認したい使用者や、５〜１０件程度のメールを一頁に表示したい使用者の多彩な要望にも応じることができる。また、新しい順、又は古い順に表示してメールを確認したいという使用者の要望にも応じることができる。更に、表示の必要のないメールを表示させないようにして、メールを確認し易くしたり、全てのメールを表示して確認漏れを防ぎたいという使用者の要望にも応じることができる。
【００６２】
更に、この携帯電話１０１では、メールの検索を、そのメールの本文に対してキーワードで行うために使用者がこのキーワードを設定する設定手段を備えているので、メールが多い場合でも、多数のメールから目的のメールを速やかに検索し、表示することができる。
【００６３】
更にまた、この携帯電話１０１では、メールを表示した際に、この表示内に、一覧表示する機能や各種の設定手段を動作させるための動作ボタン（「機能」ボタン５０８）が表示されるように設定されているので、動作ボタンを利用して一覧表示させる機能及び各種の設定手段を動作させることができる、メールを一覧表示させる方法を直感的に解り易く、誰でもこの機能を使えるようにすることができる。
【００６４】
次に、第２実施例について説明する。第１実施例と異なる点は、検索設定画面での検索対象が増えていることで、具体的には、第１実施例の検索対象（送受信者のみ、送受信者（すべて）、題名検索、本文語句検索）については当然検索でき、更に、メールの送受信の時間帯か、又は期間を検索対象とすることができるものである。
【００６５】
この第２実施例について、図６、図７を参照して説明する。この図６と図７の、図４と図５と異なる部分について主に説明し、同一部分については、その説明を省略又は簡単に行う。
【００６６】
図７に示すように、画面５０１を表示させ、「機能」ボタン５０８を選択すると、画面５０３が表示され、更に、「６．送受信メール一括表示」を選択すると、画面７０１が表示される。
【００６７】
この画面７０１は、画面５０４の検索対象、送受信者のみ、送受信者（すべて）、題名検索、本文語句検索を実施できるものではあるが、更に、メールの送受信の時間帯（何曜日何時何分から何曜日何時何分まで）か、又は期間（何年何月何日から何年何月何日まで）を検索対象とする機能を備えている。この時間帯か、期間かの何れかを利用する場合には、使用者は、その入力部７０３、７０４に曜日や数字を入力して「設定」ボタン５１０を選択する。
【００６８】
この画面７０１では、検索項目が多く、ひとつの画面で表示できず隠れた部分があるため、その隠れた部分を表示させるために、下キーで下スクロールを行う必要がある。画面７０２から画面７０１に戻るには上キーで上スクロールを行う。そして、画面７０１、７０２で、使用者は、必要に応じて何れかを選択、又は、入力して、画面７０２で「設定」ボタン５１０を選択する。
【００６９】
画面７０２で「設定」ボタン５１０が選択されると、画面５０５が表示され、一頁に表示する件数を設定し、「更新新しい順」か「更新古い順」を選択し、「表示」ボタン５１２を選択すると、画面５０６か画面５０７が表示される。
【００７０】
このように、ある特定の期間や、ある時間帯のメールの送受信を検索してソートし、一覧表示できるので、特定の期間や、ある時間帯のメールの送受信を確認するのに非常に便利である。
【００７１】
また、この第２実施例では、時間帯設定と期間設定のひとつと、送受信のみ、送受信者（すべて）、題名検索、本文語句検索のひとつとをアンド条件としても検索できるように設定されている。このため、検索のためのキー操作が増えるものの、送受信メールが多量にある場合などは、これらのアンド条件を利用して、送受信メールを容易に検索でき、使用者は検索したメールを表示して確認することができる。
【００７２】
このような第２実施例の携帯電話によれば、メールの検索条件を時間帯、又は期間と設定できる設定手段を備えているので、多数の多数のメールから目的のメールを速やかに検索し、表示し、そして確認することができる。
【００７３】
特に、あの期間とか、あの時間帯とかは覚えているが、相手は誰だったか、検索用キーワードを何にすればよいか思いつかないときは判らない時は、この時間帯や、期間による検索は非常に便利で、有効な検索条件である。
【図面の簡単な説明】
【００７４】
【図１】本発明の実施の形態を示す携帯電話の外観図である。
【図２】同携帯電話の機能構成を示すブロック図である。
【図３】本発明の実施の形態の動作を示すフローチャートである。
【図４】本発明の第１の実施例の携帯電話におけるメールの一括表示設定を示すフローチャートである。
【図５】同携帯端末における画面表示の遷移を示す説明図である。
【図６】本発明の第２の実施例の携帯電話におけるメールの一括表示設定を示すフローチャートである。
【図７】同携帯端末における画面表示の遷移を示す説明図である。
【符号の説明】
【００７５】
１０１    携帯電話
１０２    キー操作部
１０３    表示部
１０４    スピーカ
１０５    マイク
１０６    レシーバ
２０１    メモリ
２０２    各種設定格納部
２０３    受信メール格納部
２０４    送信メール格納部
２０５    制御部
２０６    無線部
２０７    時計部
５０１    画面
５０２    画面
５０３    画面
５０４    画面
５０５    画面
５０６    画面
５０７    画面
５０８    「機能」ボタン（動作ボタン）
５０９    入力部
５１０    「設定」ボタン
５１１    入力部
５１２    「表示」ボタン
５１３    「表示削除」ボタン
７０１    画面
７０２    画面
７０３    入力部
７０４    入力部
【図１】
2008225719.tif 000003
【図２】
2008225719.tif 000004
【図３】
2008225719.tif 000005
【図４】
2008225719.tif 000006
【図５】
2008225719.tif 000007
【図６】
2008225719.tif 000008
【図７】
2008225719.tif 000009